(57)【要約】【課題】注文受付処理を迅速に行うことができる受付端末及び表示制御プログラム並びに注文処理方法の提供。【解決手段】受付端末に、メディアやＣＤ−Ｒなどの記録媒体、デジタルカメラなどの入力手段から画像ファイルなどを読み取るファイル読み取り手段と、表示手段に、入力手段から画像ファイルの入力させるための案内画面を表示させる際に、１つの案内画面に、１以上の入力手段に対する操作方法を示す案内情報と他の入力手段を選択させるための指示手段とを表示させる制御や、２以上の入力手段に対する操作方法を示す案内情報と各々の入力手段を選択させるための指示手段とを対応付けて表示させる制御、全ての入力手段に対する操作方法を示す案内情報を表示させる制御などを行う表示制御手段とを少なくとも設け、画像ファイルを入力させる際の画面の遷移回数を減らして、注文受付処理の迅速化を図る。【選択図】図７
2006172251.tif 000002
【特許請求の範囲】
【請求項１】
複数の入力手段から画像ファイルを読み取り可能なファイル読み取り手段と、前記入力手段から前記画像ファイルを読み取るために利用される案内画面を表示手段に表示させる表示制御手段とを少なくとも備える受付端末において、
前記表示制御手段では、前記案内画面に、前記複数の入力手段の中の１以上の入力手段に対する操作方法を示す案内情報と、前記１以上の入力手段とは異なる他の入力手段を選択又は操作させるための指示手段とを表示させることを特徴とする受付端末。
【請求項２】
前記表示制御手段では、前記案内画面で前記指示手段が指示された場合に、次の案内画面に、前記他の入力手段に対する操作方法を示す案内情報を表示させることを特徴とする請求項１記載の受付端末。
【請求項３】
複数の入力手段から画像ファイルを読み取り可能なファイル読み取り手段と、前記入力手段から前記画像ファイルを読み取るために利用される案内画面を表示手段に表示させる表示制御手段とを少なくとも備える受付端末において、
前記表示制御手段では、前記案内画面に、前記複数の入力手段の中の２以上の入力手段に対する操作方法を示す案内情報と、前記２以上の入力手段の各々を選択又は操作させるための指示手段とを対応付けて表示させることを特徴とする受付端末。
【請求項４】
複数の入力手段から画像ファイルを読み取り可能なファイル読み取り手段と、前記入力手段から前記画像ファイルを読み取るために利用される案内画面を表示手段に表示させる表示制御手段とを少なくとも備える受付端末において、
前記表示制御手段では、前記案内画面に、前記ファイル読み取り手段で読み取り可能な全ての前記入力手段に対する操作方法を示す案内情報を表示させることを特徴とする受付端末。
【請求項５】
コンピュータを、
入力手段から画像ファイルを読み取るために利用される案内画面を表示手段に表示させる際に、前記案内画面に、複数の前記入力手段の中の１以上の入力手段に対する操作方法を示す案内情報と、前記１以上の入力手段とは異なる他の入力手段を選択又は操作させるための指示手段とを表示させる表示制御手段として機能させることを特徴とする表示制御プログラム。
【請求項６】
前記表示制御手段では、前記案内画面で前記指示手段が指示された場合に、次の案内画面に、前記他の入力手段に対する操作方法を示す案内情報を表示させることを特徴とする請求項５記載の表示制御プログラム。
【請求項７】
コンピュータを、
入力手段から画像ファイルを読み取るために利用される案内画面を表示手段に表示させる際に、前記案内画面に、複数の前記入力手段の中の２以上の入力手段に対する操作方法を示す案内情報と、前記２以上の入力手段の各々を選択又は操作させるための指示手段とを対応付けて表示させる表示制御手段として機能させることを特徴とする表示制御プログラム。
【請求項８】
コンピュータを、
入力手段から画像ファイルを読み取るために利用される案内画面を表示手段に表示させる際に、前記案内画面に、読み取り可能な全ての前記入力手段に対する操作方法を示す案内情報を表示させる表示制御手段として機能させることを特徴とする表示制御プログラム。
【請求項９】
入力手段から画像ファイルを読み取るために利用される案内画面を表示手段に表示する表示ステップと、前記入力手段から前記画像ファイルを読み取るステップとを少なくとも備える注文処理方法であって、
前記表示ステップでは、前記案内画面に、複数の前記入力手段の中の１以上の入力手段に対する操作方法を示す案内情報と、前記１以上の入力手段とは異なる他の入力手段を選択又は操作させるための指示手段とを表示することを特徴とする注文処理方法。
【請求項１０】
更に、前記案内画面で前記指示手段が指示された場合に、次の案内画面に、前記他の入力手段に対する操作方法を示す案内情報を表示するステップを備えることを特徴とする請求項９記載の注文処理方法。
【請求項１１】
入力手段から画像ファイルを読み取るために利用される案内画面を表示手段に表示する表示ステップと、前記入力手段から前記画像ファイルを読み取るステップとを少なくとも備える注文処理方法であって、
前記表示ステップでは、前記案内画面に、複数の前記入力手段の中の２以上の入力手段に対する操作方法を示す案内情報と、前記２以上の入力手段の各々を選択又は操作させるための指示手段とを対応付けて表示することを特徴とする注文処理方法。
【請求項１２】
入力手段から画像ファイルを読み取るために利用される案内画面を表示手段に表示する表示ステップと、前記入力手段から前記画像ファイルを読み取るステップとを少なくとも備える注文処理方法であって、
前記表示ステップでは、前記案内画面に、読み取り可能な全ての入力手段に対する操作方法を示す案内情報を表示することを特徴とする注文処理方法。
【発明の詳細な説明】
【技術分野】
【０００１】
本発明は、受付端末及び表示制御プログラム並びに注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラ用のメディアやＣＤ−Ｒなどの記録媒体、デジタルカメラなどの入力手段をミニラボ等の写真店に持ち込むと、写真店では受付端末を用いてメディアや記録媒体、デジタルカメラなどの入力手段から画像ファイルを読み取り、読み取った画像ファイルを用いて高精細な写真プリントを作成したり、該画像ファイルを他の記録媒体に書き込むなどの処理を行う。また、店舗内に設置されたキオスク（無人の受付端末）を用いれば、上記写真プリントの作成や記録媒体への書き込みなどの処理をユーザ自身で行うこともできる（上記無人端末に関しては、例えば、下記特許文献１参照）。
【０００３】
【特許文献１】特開平１１−８８１７号公報（第３−４頁、第１図）
【発明の開示】
【発明が解決しようとする課題】
【０００４】
ここで、デジタルカメラの機種は様々であり、デジタルカメラに装填可能なメディアの機種も様々であるため、受付端末では、各種入力手段から画像ファイルを読み取ることができるように多種類のスロットや端子などを設けている。そのため、受付端末の操作に不慣れなユーザは、受付端末のどの部分にメディアや記録媒体を装填すればよいのか、又、受付端末のどの部分にデジタルカメラを接続すればよいのかが分かりづらく、操作に戸惑ってしまう場合がある。
【０００５】
そこで、従来の受付端末では、表示手段に、ユーザに入力手段を選択させるための選択画面や、選択された入力手段に対する操作方法を示すイラストなどが表示される案内画面などを順次表示して操作の支援を行っているが、このような画面構成では、どの入力手段を利用する場合であっても必ず選択画面から案内画面に遷移させなければならないため、注文受付処理に時間がかかってしまうという問題があった。
【０００６】
本発明は、上記問題点に鑑みてなされたものであって、その主たる目的は、注文受付処理を迅速に行うことができる受付端末及び表示制御プログラム並びに注文処理方法を提供することにある。
【課題を解決するための手段】
【０００７】
上記目的を達成するため、本発明の注文端末は、複数の入力手段から画像ファイルを読み取り可能なファイル読み取り手段と、前記入力手段から前記画像ファイルを読み取るために利用される案内画面を表示手段に表示させる表示制御手段とを少なくとも備える受付端末において、前記表示制御手段では、前記案内画面に、前記複数の入力手段の中の１以上の入力手段に対する操作方法を示す案内情報と、前記１以上の入力手段とは異なる他の入力手段を選択又は操作させるための指示手段とを表示させるものである。
【０００８】
本発明においては、前記表示制御手段では、前記案内画面で前記指示手段が指示された場合に、次の案内画面に、前記他の入力手段に対する操作方法を示す案内情報を表示させる構成とすることができる。
【０００９】
また、本発明の注文端末は、複数の入力手段から画像ファイルを読み取り可能なファイル読み取り手段と、前記入力手段から前記画像ファイルを読み取るために利用される案内画面を表示手段に表示させる表示制御手段とを少なくとも備える受付端末において、前記表示制御手段では、前記案内画面に、前記複数の入力手段の中の２以上の入力手段に対する操作方法を示す案内情報と、前記２以上の入力手段の各々を選択又は操作させるための指示手段とを対応付けて表示させるものである。
【００１０】
また、本発明の注文端末は、複数の入力手段から画像ファイルを読み取り可能なファイル読み取り手段と、前記入力手段から前記画像ファイルを読み取るために利用される案内画面を表示手段に表示させる表示制御手段とを少なくとも備える受付端末において、前記表示制御手段では、前記案内画面に、前記ファイル読み取り手段で読み取り可能な全ての前記入力手段に対する操作方法を示す案内情報を表示させるものである。
【００１１】
また、本発明の表示制御プログラムは、コンピュータを、入力手段から画像ファイルを読み取るために利用される案内画面を表示手段に表示させる際に、前記案内画面に、複数の前記入力手段の中の１以上の入力手段に対する操作方法を示す案内情報と、前記１以上の入力手段とは異なる他の入力手段を選択又は操作させるための指示手段とを表示させる表示制御手段として機能させるものである。
【００１２】
また、本発明の表示制御プログラムは、コンピュータを、入力手段から画像ファイルを読み取るために利用される案内画面を表示手段に表示させる際に、前記案内画面に、複数の前記入力手段の中の２以上の入力手段に対する操作方法を示す案内情報と、前記２以上の入力手段の各々を選択させるための指示手段とを対応付けて表示させる表示制御手段として機能させるものである。
【００１３】
また、本発明の表示制御プログラムは、コンピュータを、入力手段から画像ファイルを読み取るために利用される案内画面を表示手段に表示させる際に、前記案内画面に、読み取り可能な全ての前記入力手段に対する操作方法を示す案内情報を表示させる表示制御手段として機能させるものである。
【００１４】
また、本発明の注文処理方法は、入力手段から画像ファイルを読み取るために利用される案内画面を表示手段に表示する表示ステップと、前記入力手段から前記画像ファイルを読み取るステップとを少なくとも備える注文処理方法であって、前記表示ステップでは、前記案内画面に、複数の前記入力手段の中の１以上の入力手段に対する操作方法を示す案内情報と、前記１以上の入力手段とは異なる他の入力手段を選択又は操作させるための指示手段とを表示するものである。
【００１５】
また、本発明の注文処理方法は、入力手段から画像ファイルを読み取るために利用される案内画面を表示手段に表示する表示ステップと、前記入力手段から前記画像ファイルを読み取るステップとを少なくとも備える注文処理方法であって、前記表示ステップでは、前記案内画面に、複数の前記入力手段の中の２以上の入力手段に対する操作方法を示す案内情報と、前記２以上の入力手段の各々を選択又は操作させるための指示手段とを対応付けて表示するものである。
【００１６】
また、本発明の注文処理方法は、入力手段から画像ファイルを読み取るために利用される案内画面を表示手段に表示する表示ステップと、前記入力手段から前記画像ファイルを読み取るステップとを少なくとも備える注文処理方法であって、前記表示ステップでは、前記案内画面に、読み取り可能な全ての入力手段に対する操作方法を示す案内情報を表示するものである。
【００１７】
このように、本発明の構成によれば、１つの案内画面に、１以上の入力手段に対する操作方法を示す案内情報と他の入力手段を選択又は操作させるための指示手段とを表示したり、２以上の入力手段に対する操作方法を示す案内情報と、各々の入力手段を選択させるための指示手段とを対応付けて表示したり、全ての入力手段に対する操作方法を示す案内情報を表示する制御が行われるため、画面の遷移回数を減らすことができ、注文受付処理の迅速化を図ることができる。
【発明の効果】
【００１８】
本発明の受付端末及び表示制御プログラム並びに注文処理方法によれば、画像ファイルの読み取りなどの注文受付処理の迅速化を図ることができる。
【００１９】
その理由は、画像ファイルの読み取りに際して、各種メディアや記録媒体、各種デジタルカメラなどの多数の入力手段の中から特定の入力手段を選択させるための画面と、選択された入力手段に対する操作方法を示す案内情報が表示される案内画面とを別々に表示するのではなく、１つの案内画面に、１以上の入力手段に対する操作方法を示す案内情報と他の入力手段を選択又は操作させるための指示手段とを表示したり、２以上の入力手段に対する操作方法を示す案内情報と各々の入力手段を選択又は操作させるための指示手段とを対応付けて表示したり、全ての入力手段に対する操作方法を示す案内情報を表示するといった制御が行われるため、画面の遷移回数を減らして効率的に画像ファイルの読み取りを行うことができるからである。
【発明を実施するための最良の形態】
【００２０】
本発明の注文端末は、その好ましい一実施の形態において、メディア装填部や記録媒体装填部、機器接続部などを用いて、デジタルカメラ用のメディアやＣＤ−Ｒなどの記録媒体、デジタルカメラなどから画像ファイルなどを読み取るファイル読み取り手段と、表示手段に、入力手段から画像ファイルの読み取るために利用される案内画面を表示させる際に、１つの案内画面に、１以上の入力手段に対する操作方法を示す案内情報と他の入力手段を選択又は操作させるための指示手段とを表示させる制御や、２以上の入力手段に対する操作方法を示す案内情報と各々の入力手段を選択又は操作させるための指示手段とを対応付けて表示させる制御、全ての入力手段に対する操作方法を示す案内情報を表示させる制御などを行う表示制御手段と、表示手段及び操作手段と、画像ファイルと注文情報ファイルとを記録媒体作成装置やプリント作成装置などの出力装置に送信するファイル送信手段とを少なくとも備える。これにより、画像ファイルを入力させる際の画面の遷移回数を減らすことができ、注文受付処理の迅速化を図ることができる。
【実施例】
【００２１】
上記実施形態について詳細に説明すべく、本発明の一実施例に係る受付端末及び表示制御プログラム並びに注文処理方法について、図１乃至図１７を参照して説明する。図１は、本実施例に係る注文処理システムの構成を模式的に示す図であり、図２及び図３は、受付端末のバリエーションを示す図である。また、図４は、受付端末の機能を示すブロック図であり、図５は、本実施例の受付端末を用いた注文処理の手順を示すフローチャート図である。また、図６乃至図１６は、本実施例の受付端末の表示手段に表示される画面の構成例を示す図であり、図１７は、従来の受付端末の表示手段に表示される画面の構成例を示す図である。
【００２２】
図１に示すように、本実施例の注文処理システム１は、ミニラボなどに写真店やコンビニエンスストアなどの注文店などに設置され、写真プリントの作成や記録媒体の作成などの注文を受け付ける受付端末２と、写真店や生産店などに設置される記録媒体作成装置１２ａやプリント作成装置１２ｂなどの出力装置１２とで構成され、これらはＬＡＮやＷＡＮ、ＶＡＮなどの通信ネットワークを介して接続されている。
【００２３】
また、図４に示すように、本実施例の受付端末２は、スマートメディア、コンパクトフラッシュ（登録商標）、メモリースティック、ＳＤメモリーカード、マルチメディアカードなどのデジタルカメラ９用又はカメラ付き携帯電話機９ａ用のスティック型の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の入力元の記録媒体１０を装填する記録媒体装填部７などを用いて、メディア８やデジタルカメラ９、記録媒体１０など（以下、これらを総称して入力手段と呼ぶ。）から画像ファイルを読み取るファイル読み取り手段１５と、表示手段３に入力手段から画像ファイルを読み取るために利用される案内画面を表示させる際に、１つの案内画面に、１以上の入力手段に対する操作方法を示す案内情報と他の入力手段を選択又は操作させるための指示手段とを表示させる制御や、２以上の入力手段に対する操作方法を示す案内情報と各々の入力手段を選択又は操作させるための指示手段とを対応付けて表示させる制御、全ての入力手段に対する操作方法を示す案内情報を表示させる制御などを行う表示制御手段１６と、ＬＣＤ、ＣＲＴ等の表示手段３と、ボタン、キーボード、マウス等の操作手段４と、画像ファイルや注文情報ファイルを出力装置１２に送信するファイル送信手段１７とを備え、必要に応じて、注文番号が記録されたレシートを出力するレシートプリンタ１１などが接続されている。なお、上記各手段はハードウェアとして構成されていてもよいし、コンピュータを、少なくとも表示制御手段１６として機能させる表示制御プログラムとして構成し、該表示制御プログラムを受付端末２にインストールして実行する構成としてもよい。
【００２４】
また、本実施例のプリント作成装置１２ｂは、銀塩プリンタや昇華プリンタ、インクジェットプリンタなどの任意の種類のプリンタを用いることができ、プリント作成装置１２ｂには、少なくとも、注文情報ファイルに基づいて所定のプリントサイズ（Ｅ、Ｌ、ＬＤ、２Ｌ、２ＬＤ、ＫＧ、８つ、６つ、４つ、６つＷ、４つＷ、Ａ４、Ａ３など）、所定の種別（銀塩プリント、昇華プリントなど）、所定の形態（個別のプリント、インデックスプリント、ジャケットプリントなど）の写真プリント１４の作成を行う機能を備え、記録媒体作成装置１２ａには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の出力先の記録媒体１３に画像ファイルを書き込む手段を備えている。なお、図１では、受付端末２とプリント作成装置１２ｂと記録媒体作成装置１２ａとを別々の装置として記載しているが、例えば、図２に示すように、受付端末２と記録媒体作成装置１２ａの機能を兼ね備えたコンピュータ機器としてもよいし、図３に示すように、受付端末２とプリント作成装置１２ｂと記録媒体作成装置１２ａとが一体となったキオスク（無人端末）などとしてもよい。
【００２５】
上記構成の受付端末２を用いてユーザが注文を行う手順について、図５のフローチャート図を参照して説明する。
【００２６】
まず、受付端末２の表示手段３に、例えば、図６に示すような作業指示画面１８が表示される。この作業指示画面１８には、画像ファイルから写真プリント１４を作成するのか、画像ファイルを出力先の記録媒体１３に記録するのか、又はその双方の処理を行うかなどの作業を選択するボタンが表示され、ステップＳ１０１で、ユーザはその中から所望の作業を選択する。
【００２７】
次に、メディア装填部５や記録媒体装填部７、機器接続部６などを用いて、メディア８や記録媒体１０、デジタルカメラ９などの入力手段から画像ファイルを読み取るが、従来の受付端末では、図１７に示すように、表示手段に、まず、入力手段を選択させるための選択画面２６（図１７（ａ）参照）を表示させ、その後、選択された入力手段に対する操作方法を示すイラストなどが表示される案内画面２７（図１７（ｂ）、（ｃ）参照）を表示させていたため、どの入力手段を利用する場合でもユーザは少なくとも１回、画面を遷移させなければならず、注文受付処理の迅速化を図ることができなかった。
【００２８】
ここで、各々の入力手段の利用頻度は同じではなく、写真の画像ファイルを用いた注文の場合は特定の入力手段（通常はメディア８）から画像ファイルが入力される場合が多く、従って特定の入力手段から画像ファイルが入力されることを前提にして画面を構成した方が注文受付処理をスムーズに実行することができる。また、入力手段を選択させるための画面と入力手段に対する操作方法を示す案内情報が表示される画面とは別々に表示する必要はなく、一つの画面にまとめることも可能である。また、受付端末２に、ファイル読み取り手段１５に入力手段が装着（例えば、メディア装填部５にメディア８が装填、機器接続部６にデジタルカメラ９が接続、記録媒体装填部７に記録媒体１０が装填）されたことを自動的に検出することができる場合には、入力手段を選択させるための操作は必ずしも必要ではない。
【００２９】
そこで、本実施例の受付端末２では、上記観点を考慮して注文受付処理の迅速化を図るために、ステップＳ１０２で、特定の入力手段から画像ファイルを読み取るために利用される画面を表示させる際に、表示制御手段１６は、入力手段を選択させるための選択画面を表示させずに、例えば、図７（ａ）に示すような第１の案内画面１９ａを直ちに表示させる。この第１の案内画面１９ａには、複数の入力手段の中から予め選択された１以上の入力手段（ここでは４種類のメディア８）に対する操作方法（メディア８をメディア装填部５に装填する方法）を示すイラストなどの案内情報と、上記入力手段とは異なる他の入力手段（ここでは記録媒体１０）を選択させたり、該入力手段に対応するファイル読み取り手段１５（この場合は記録媒体装填部７）を操作させるためのボタンなどの指示手段とが設けられており、ユーザは、上記案内情報に表示された入力手段を利用する場合は、ステップＳ１０３で、案内情報に従って入力手段を装着（ここではメディア８をメディア装填部５に装填）した後、ＯＫボタンを押して画像ファイルを読み取り可能な状態にする。
【００３０】
また、指示手段に指示された他の入力手段を用いる場合は、該指示手段を押すと、表示制御手段１６は、表示手段３に、例えば、図７（ｂ）に示すような第２の案内画面１９ｂを表示させる。この第２の案内画面１９ｂには、上記他の入力手段に対する操作方法を示すイラストなどの案内情報が表示されており、ステップＳ１０３で、ユーザは、該案内情報の指示に従って他の入力手段を装着（ここでは記録媒体１０を記録媒体装填部７に装填）した後、ＯＫボタンを押して画像ファイルを読み取り可能な状態にする。
【００３１】
このように、第１の案内画面１９ａに、１以上の入力手段（好ましくは通常利用される特定の入力手段）に対する操作方法を示すイラストなどの案内情報を表示させることにより、特定の入力手段を選択する場合は、画面を遷移させることなく特定の入力手段から速やかに画像ファイルを入力させることができるため、初めに入力手段を選択させるための選択画面を表示させ、次に、選択された入力手段に対する操作方法を示す案内画面を表示させる従来の構成に比べて、注文受付処理の迅速化を図ることができる。
【００３２】
なお、図７では、案内情報としてメディア８をメディア装填部５に装填させるイラストを表示し、指示手段として記録媒体１０を選択又は操作させるためのボタンを表示したが、案内情報及び指示手段に表示する入力手段は任意であり、例えば、図８に示すように、案内情報及び指示手段に表示する入力手段を逆にして、案内情報として記録媒体１０を記録媒体装填部７に装填させるためのイラストを表示し、指示手段としてメディア８を選択又は操作させるためのボタンを表示することもできる。
【００３３】
また、図７及び図８では、説明を容易にするために入力手段としてメディア８と記録媒体１０とを用いる場合を示したが、上記以外の他の入力手段（例えば、デジタルカメラ９）を含んでいてもよく、その場合は、例えば、図９に示すように、指示手段として複数の入力手段（ここでは、記録媒体１０とデジタルカメラ９）を選択又は操作させるためのボタン（”ＣＤ装填”ボタンと”デジカメ接続”ボタン）を表示してもよいし、図７又は図８の第２の案内画面１９ｂに他の入力手段（例えば、デジタルカメラ９）を選択させるための指示手段を表示してもよい。
【００３４】
また、図７乃至図９では、特定の入力手段の操作方法を示す案内情報と他の入力手段を選択又は操作させるための指示手段とを表示させる構成としたが、この構成では、特定の入力手段を利用する場合は１つの画面（第１の案内画面１９ａ）で画像ファイルを入力させるための操作を行うことができるが、他の入力手段を利用する場合は２つの画面（第１の案内画面１９ａ及び第２の案内画面１９ｂ）を遷移させなければならない。そこで、どの入力手段を利用する場合でも画面を遷移させずに画像ファイルを入力させることができるようにするために、例えば、図１０に示すような案内画面１９を表示させることもできる。
【００３５】
この案内画面１９には、２以上の入力手段（ここではメディア８と記録媒体１０）の各々に対する操作方法を示すイラストなどの案内情報と、各々の入力手段を選択又は操作させるための指示手段とが対応付けて表示（ここでは指示手段自体に案内情報が表示）されており、ユーザは、該案内画面１９で入力手段を選択し、選択した入力手段に対応する案内情報に従って該入力手段を装着した後、該入力手段に対応するボタンを押して画像ファイルを読み取り可能な状態にする。この構成では、いずれの入力手段に対しても１つの画面で画像ファイルを入力させるための操作を行うことができるため、注文受付処理の迅速化を図ることができる。なお、図１０では入力手段としてメディア８と記録媒体１０とを示したが、他の入力手段（例えば、デジタルカメラ９）などを含む構成としてもよい。
【００３６】
また、図７乃至図１０では、ＯＫボタンや指示手段を押すことによって入力手段をユーザに選択させる構成としているが、入力手段が装着されたことをファイル読み取り手段１５が自動的に検出することができる場合は、入力手段を選択又は操作させるためのボタンを設ける必要はなく、例えば、図１１に示すような案内画面１９を表示させることもできる。
【００３７】
この案内画面１９には、ファイル読み取り手段１５で読み取り可能な全ての入力手段（ここではメディア８と記録媒体１０）の各々に対する操作方法を示すイラストなどの案内情報と、いずれかの案内情報に従って操作したことを示す確認ボタン（ＯＫボタン）とが表示されており、ユーザは、いずれかの案内情報に従って該入力手段を装着した後、ＯＫボタンを押して画像ファイルを読み取り可能な状態にする。この構成でも、いずれの入力手段に対しても１つの画面で画像ファイルを入力させるための操作を行うことができるため、注文受付処理の迅速化を図ることができる。
【００３８】
次に、ステップＳ１０４で、写真プリント１４の作成が選択されている場合は、ステップＳ１０５で、表示制御手段１６は、表示手段３に例えば図１２に示すような写真プリント１４のプリントサイズをユーザに選択させるためのプリントサイズ選択画面２１を表示させる。このプリントサイズ選択画面２１には、Ｅ、Ｌ、ＬＤ、２Ｌ、２ＬＤ、ＫＧ、８つ、６つ、４つ、６つＷ、４つＷ、Ａ４、Ａ３などの各種プリントサイズが選択可能に表示されており、ユーザは操作手段４を操作して所望のプリントサイズを選択する。
【００３９】
次に、ステップＳ１０６で、表示制御手段１６は、表示手段３に例えば図１３に示すような納期をユーザに選択させるための納期選択画面２２を表示させる。この納期選択画面２２には、特急、普通、翌日などの各種納期が選択可能に表示されており、ユーザは操作手段４を操作して所望の納期を選択する。
【００４０】
次に、ステップＳ１０６の処理の後に、又は、ステップＳ１０４からＳ１０６の処理と並行して、ステップＳ１０７で、ファイル読み取り手段１５は、メディア装填部５に装填されたメディア８や記録媒体装填部７に装填された記録媒体１０、又は、機器接続部６に接続されたデジタルカメラ９から画像ファイルと必要に応じてＤＰＯＦ（Digital Print Order Format）ファイルなどの注文情報ファイルを読み取る。
【００４１】
次に、表示制御手段１６は、表示手段３に、例えば図１４に示すような一括選択画面２３を表示させた後、例えば図１５に示すような画像選択画面２４を表示させる。この画像選択画面２４には、各々の画像ファイルの画像を日付順やファイル名順などの予め定められた順番（図ではファイル名の昇順）で配列するための複数の枠が設けられており、各々の枠の近傍には、対応する画像ファイルに対する処理を設定するためのボタン（ディスク作成モードの場合は画像を回転させるためのボタンや画像の選択／解除を指示するためのボタン、画像を拡大表示するためのボタンなど）が設けられている。そして、ステップＳ１０８でユーザは画像選択画面２４に表示された画像ファイルの中から処理の対象となる画像ファイルを選択する。
【００４２】
次に、ステップＳ１０９で、写真プリント１４の作成が選択されている場合は、プリント対象となる画像ファイルのＥＸＩＦ（Exchangeable Image File Format）情報や注文情報ファイルに日付情報が記録されているかを判断し、プリント対象となる少なくとも１つの画像ファイルに日付情報が記録されている場合又は注文情報ファイルに日付情報が記録されている場合は、写真プリント１４に日付を書き込むことができるため、表示制御手段１６は、例えば、図１６に示すような、写真プリント１４に日付を書き込むか否かを選択するボタンが表示された日付有り／無し選択画面２５を表示手段３に表示させる。
【００４３】
次に、ステップＳ１１０で、ユーザは日付有り／無し選択画面２５で日付の有り／無しを選択し、日付無しを選択した場合は、画像ファイル又は注文情報ファイルの少なくとも一方の所定の記述場所にその画像ファイルに基づく画像に日付が書き込まれないようにする処理を行うなどして、日付無しに設定する。また、日付有りを選択した場合は、注文情報ファイルの日付指定に関する記述場所にＥＸＩＦ情報に記述された日付情報を書き込むなどして、日付有りに設定する。
【００４４】
その後、上記手順で設定された注文の内容が注文情報ファイルに記録されて受付端末２に記憶され、必要に応じてレシートプリンタ１１を用いて注文番号が記録されたレシートが出力される。そして、注文情報ファイルが記録媒体作成装置１２ａやプリント作成装置１２ｂに送信され、記録媒体作成装置１２ａで画像ファイルなどが記録媒体１３に記録され、プリント作成装置１２ｂで写真プリント１４が作成されて、ステップＳ１１１で、レシートと引き替えに記録媒体１３や写真プリント１４がユーザに提供されて一連の処理が終了する。
【００４５】
このように、本実施例の受付端末２では、表示手段３に、画像ファイルが記録された入力手段を選択させるための選択画面と、選択された入力手段に対する操作方法を示す案内画面とを順次表示するのではなく、１つの案内画面に、１以上の入力手段に対する操作方法を示す案内情報と他の入力手段を選択又は操作させるための指示手段とを表示させたり、２以上の入力手段に対する操作方法を示す案内情報と、各々の入力手段を選択又は操作させるための指示手段とを対応付けて表示させたり、複数の入力手段の全てに対する操作方法を示す案内情報を表示させる制御が行われるため、画面の遷移回数を減らして効率的に画像ファイルの読み取りを行うことができ、これにより注文受付処置の迅速化を図ることができる。
【００４６】
なお、上記実施例では、入力手段から画像ファイルを読み取るために利用される案内画面について示したが、本発明は上記実施例に限定されるものではなく、出力手段に画像ファイルを書き込むために利用される案内画面などの他の案内画面に対しても同様に適用することができる。
【図面の簡単な説明】
【００４７】
【図１】本発明の一実施例に係る注文処理システムの構成を模式的に示す図である。
【図２】本発明の一実施例に係る受付端末のバリエーションを示す図である。
【図３】本発明の一実施例に係る受付端末のバリエーションを示す図である。
【図４】本発明の一実施例に係る受付端末の機能を示すブロック図である。
【図５】本発明の一実施例に係る受付端末を用いた注文手順を示すフローチャート図である。
【図６】本発明の一実施例に係る受付端末の表示手段に表示される画面構成例（作業選択画面）を示す図である。
【図７】本発明の一実施例に係る受付端末の表示手段に表示される画面構成例（案内画面画面）を示す図である。
【図８】本発明の一実施例に係る受付端末の表示手段に表示される案内画面のバリエーションを示す図である。
【図９】本発明の一実施例に係る受付端末の表示手段に表示される案内画面のバリエーションを示す図である。
【図１０】本発明の一実施例に係る受付端末の表示手段に表示される案内画面のバリエーションを示す図である。
【図１１】本発明の一実施例に係る受付端末の表示手段に表示される案内画面のバリエーションを示す図である。
【図１２】本発明の一実施例に係る受付端末の表示手段に表示される画面構成例（プリントサイズ選択画面）を示す図である。
【図１３】本発明の一実施例に係る受付端末の表示手段に表示される画面構成例（納期選択画面）を示す図である。
【図１４】本発明の一実施例に係る受付端末の表示手段に表示される画面構成例（一括選択画面）を示す図である。
【図１５】本発明の一実施例に係る受付端末の表示手段に表示される画面構成例（画像選択画面）を示す図である。
【図１６】本発明の一実施例に係る受付端末の表示手段に表示される画面構成例（日付有り／無し選択画面）を示す図である。
【図１７】従来の受付端末の表示手段に表示される画面構成例（案内画面画面）を示す図である。
【符号の説明】
【００４８】
１  注文処理システム
２  受付端末
３  表示手段
４  操作手段
５  メディア装填部
６  機器接続部
７  記録媒体装填部
８  メディア
９  デジタルカメラ
９ａ  カメラ付き携帯電話機
１０  入力元の記録媒体
１１  レシートプリンタ
１２  出力装置
１２ａ  記録媒体作成装置
１２ｂ  プリント作成装置
１３  出力先の記録媒体
１４  写真プリント
１５  ファイル読み取り手段
１６  表示制御手段
１７  ファイル送信手段
１８  作業選択画面
１９  案内画面
１９ａ  第１の案内画面
１９ｂ  第２の案内画面
２１  プリントサイズ選択画面
２２  納期選択画面
２３  一括選択画面
２４  画像選択画面
２５  日付有り／無し選択画面
２６  選択画面
２７  案内画面
【図１】
2006172251.tif 000003
【図２】
2006172251.tif 000004
【図３】
2006172251.tif 000005
【図４】
2006172251.tif 000006
【図５】
2006172251.tif 000007
【図６】
2006172251.tif 000008
【図７】
2006172251.tif 000009
【図８】
2006172251.tif 000010
【図９】
2006172251.tif 000011
【図１０】
2006172251.tif 000012
【図１１】
2006172251.tif 000013
【図１２】
2006172251.tif 000014
【図１３】
2006172251.tif 000015
【図１４】
2006172251.tif 000016
【図１５】
2006172251.tif 000017
【図１６】
2006172251.tif 000018
【図１７】
2006172251.tif 000019